(57)【要約】【課題】マイコンをスリープ状態へ移行させて消費電力の低下を図りつつ、外部装置からのパイロット信号を検出することができる制御装置および制御方法を提供する。【解決手段】実施形態の一態様に係る制御装置においては、検出部と、起動制御部とを備える。検出部は、外部機器から出力されるパイロット信号を検出する。起動制御部は、検出部によるパイロット信号の検出結果に基づいて、スリープ状態のマイコンに対する起動を制御する。また、起動制御部は、検出部によってパイロット信号が検出されない場合、スリープ状態のマイコンを起動させる制御を実行する。【選択図】図１
2020181508.tif 000002
【特許請求の範囲】
【請求項１】
外部機器から出力されるパイロット信号を検出する検出部と、
前記検出部によるパイロット信号の検出結果に基づいて、スリープ状態のマイコンに対する起動を制御する起動制御部と
を備え、
前記起動制御部は、
前記検出部によってパイロット信号が検出されない場合、スリープ状態の前記マイコンを起動させる制御を実行すること
を特徴とする制御装置。  
【請求項２】
前記検出部および前記起動制御部を含み、前記外部機器から出力されるパイロット信号が検出されない場合、スリープ状態の前記マイコンを起動させる信号を出力するウォッチドッグタイマ
を備えることを特徴とする請求項１に記載の制御装置。
【請求項３】
前記外部機器は、
車両に搭載されたバッテリに接続されて前記バッテリの充電を行う充電機器であり、
前記マイコンは、
前記充電機器による前記バッテリの充電を制御すること
を特徴とする請求項１または２に記載の制御装置。
【請求項４】
前記起動制御部は、
前記検出部によるパイロット信号の検出結果に基づいて前記充電機器と前記バッテリとの接続状態を判定するとともに、前記検出部によってパイロット信号が検出されない場合、前記充電機器と前記バッテリとの接続が解除されたと判定し、スリープ状態の前記マイコンを起動させる制御を実行すること
を特徴とする請求項３に記載の制御装置。
【請求項５】
前記充電機器から出力されるパイロット信号は、
前記充電機器と前記バッテリとの間で通信されるパルス幅変調された充電制御信号であること
を特徴とする請求項３または４に記載の制御装置。
【請求項６】
外部機器から出力されるパイロット信号を検出する検出工程と、
前記検出工程によるパイロット信号の検出結果に基づいて、スリープ状態のマイコンに対する起動を制御する起動制御工程と
を含み、
前記起動制御工程は、
前記検出工程によってパイロット信号が検出されない場合、スリープ状態の前記マイコンを起動させる制御を実行すること
を特徴とする制御方法。
【発明の詳細な説明】
【技術分野】
【０００１】
本発明は、制御装置および制御方法に関する。
【背景技術】
【０００２】
従来、例えば、電気自動車などの車両に搭載されるバッテリに対して充電機器などの外部機器が接続され、外部機器が接続されたバッテリの充電を制御する技術が種々提案されている（例えば特許文献１参照）。
【先行技術文献】
【特許文献】
【０００３】
【特許文献１】特開２０１２−２２２９３１号公報
【発明の概要】
【発明が解決しようとする課題】
【０００４】
上記したバッテリの充電制御は、車両に搭載されるマイクロコンピュータやマイクロコントローラ（以下、「マイコン」と記載する）によって行われる。例えば、マイコンは、外部機器から出力されるパイロット信号が入力されることで、外部機器とバッテリとが電気的に接続されていることを検出し、充電制御を行う。
【０００５】
ところで、例えばタイマ充電などでは、マイコンは、外部機器とバッテリとが接続された状態で充電の開始時間まで待機することとなる。かかる待機中においてマイコンは、消費電力が比較的少ないスリープ状態へ移行することが好ましい。
【０００６】
しかしながら、例えば充電の開始時間になる前に、外部機器とバッテリとの接続が解除された場合、マイコンは、タイマ充電の終了処理などを行う必要がある。そのため、マイコンは、待機中でもパイロット信号の入力の監視処理を行うこととなり、スリープ状態への移行が難しかった。したがって、マイコンをスリープ状態へ移行させて消費電力の低下を図りつつ、パイロット信号を検出する技術が望まれていた。
【０００７】
本発明は、上記に鑑みてなされたものであって、マイコンをスリープ状態へ移行させて消費電力の低下を図りつつ、外部装置からのパイロット信号を検出することができる制御装置および制御方法を提供することを目的とする。
【課題を解決するための手段】
【０００８】
上記課題を解決し、目的を達成するために、本発明は、制御装置において、検出部と、起動制御部とを備える。検出部は、外部機器から出力されるパイロット信号を検出する。起動制御部は、前記検出部によるパイロット信号の検出結果に基づいて、スリープ状態のマイコンに対する起動を制御する。また、前記起動制御部は、前記検出部によってパイロット信号が検出されない場合、スリープ状態の前記マイコンを起動させる制御を実行する。
【発明の効果】
【０００９】
本発明によれば、マイコンをスリープ状態へ移行させて消費電力の低下を図りつつ、外部装置からのパイロット信号を検出することができる。
【図面の簡単な説明】
【００１０】
【図１】図１は、実施形態に係る制御装置の制御方法の概要を示す図である。
【図２】図２は、充電システムの構成例を示すブロック図である。
【図３】図３は、制御装置が実行する処理手順を示すフローチャートである。
【発明を実施するための形態】
【００１１】
以下、添付図面を参照して、本願の開示する制御装置および制御方法の実施形態を詳細に説明する。なお、以下に示す実施形態によりこの発明が限定されるものではない。
【００１２】
＜１．制御装置による制御方法の概要＞
以下では先ず、実施形態に係る制御装置による制御方法の概要について図１を参照して説明する。図１は、実施形態に係る制御装置の制御方法の概要を示す図である。
【００１３】
図１に示すように、充電システム１は、制御装置１０と、マイコン５０とを備える。なお、充電システム１は、図示しない車両に搭載される。
【００１４】
また、充電システム１には、外部機器である充電機器１００が着脱可能に接続される。充電機器１００は、例えばＡＣ電源に接続された充電プラグ（図示せず）を備え、かかる充電プラグが充電システム１に電気的に接続されることで、バッテリ（図２参照）への充電が行われる。
【００１５】
また、充電機器１００は、充電機器１００から充電システム１への電力の供給と供給の遮断とを切り替える制御装置であるＣＣＩＤ（Charging  Circuit  Interrupt  Device）を備え、パイロット信号（例えばパルス信号）を充電システム１へ出力することができる。
【００１６】
上記した充電機器１００から出力されるパイロット信号は、例えば、充電機器１００とバッテリ（図２参照）との間で通信されるパルス幅変調された充電制御信号である。詳しくは、パイロット信号は、充電機器１００とバッテリの充電を制御する充電制御装置（後述）との間で通信される充電制御信号である。かかる充電制御信号には、例えば、パルス幅変調（ＰＷＭ（Pulse  Width  Modulation））制御により、バッテリの充電電流量を示す情報などバッテリの充電に関する情報を示す信号が含まれるが、これに限定されるものではない。なお、充電制御信号であるパイロット信号は、制御装置１０や充電制御装置に入力されてバッテリの充電等が制御される。
【００１７】
制御装置１０は、充電機器１００とマイコン５０とにそれぞれ接続される。言い換えると、制御装置１０は、充電機器１００とマイコン５０との間に介挿するようにして、充電機器１００とマイコン５０とに接続される。
【００１８】
なお、制御装置１０は、消費電力がマイコン５０の消費電力に比べて低くなるように設定される。例えば、制御装置１０は、消費電力がマイコン５０の消費電力より低いウォッチドッグタイマなどを備えるように構成されるが、これについては後述する。
【００１９】
マイコン５０は、例えばタイマ充電などを含むバッテリ（図２参照）の充電制御を行うことができる。例えば、マイコン５０は、ユーザなどの要求に応じてタイマ充電が開始されると、消費電力が比較的少ないスリープ状態に移行し（ステップＳ１）、充電の開始時間まで待機する処理を実行する。このように、本実施形態にあっては、例えばバッテリの充電などが直ちに実行されない場合に、マイコン５０をスリープ状態へ移行させて消費電力の低下を図ることができる。
【００２０】
マイコン５０がスリープ状態に移行した後、制御装置１０は、充電機器１００から出力されるパイロット信号を検出する（ステップＳ２）。
【００２１】
そして、制御装置１０は、パイロット信号の検出結果に基づいて、スリープ状態のマイコン５０に対する起動を制御する（ステップＳ３）。例えば、制御装置１０は、充電機器１００から出力されるパイロット信号が検出される場合、充電機器１００とバッテリ（図２参照）とは接続された状態であることから、マイコン５０に対して起動信号等を出力せず、マイコン５０のスリープ状態を継続させる。
【００２２】
他方、例えば、制御装置１０は、充電機器１００から出力されるパイロット信号が検出されない場合、充電機器１００とバッテリ（図２参照）との接続が解除された状態であることから、スリープ状態のマイコン５０を起動させる制御を実行する。すなわち、制御装置１０は、充電機器１００とバッテリとの接続が何らかの理由で解除されてパイロット信号が検出されない場合、マイコン５０にタイマ充電の終了処理などを行わせるべく、スリープ状態のマイコン５０を起動させる起動信号をマイコン５０へ出力する。
【００２３】
かかる起動信号によりマイコン５０は起動し（ステップＳ４）、スリープ状態が解除されて例えばタイマ充電の終了処理などを行う。
【００２４】
このように、本実施形態に係る制御装置１０にあっては、マイコン５０をスリープ状態へ移行させて消費電力の低下を図りつつ、充電機器１００からのパイロット信号を検出することができる。また、制御装置１０は、パイロット信号が検出されない場合、スリープ状態のマイコン５０を起動させる制御を実行することで、例えば、マイコン５０にタイマ充電の終了処理などを実行させることが可能になる。
【００２５】
＜２．充電システムの構成＞
次に、実施形態に係る充電システム１の構成について、図２を用いて説明する。図２は、充電システム１の構成例を示すブロック図である。なお、図２などのブロック図では、本実施形態の特徴を説明するために必要な構成要素のみを機能ブロックで表しており、一般的な構成要素についての記載を省略している。
【００２６】
換言すれば、図２などのブロック図に図示される各構成要素は機能概念的なものであり、必ずしも物理的に図示の如く構成されていることを要しない。例えば、各機能ブロックの分散・統合の具体的形態は図示のものに限られず、その全部または一部を、各種の負荷や使用状況などに応じて、任意の単位で機能的または物理的に分散・統合して構成することが可能である。
【００２７】
図２に示すように、充電システム１は、上記した制御装置１０と、充電制御装置４０と、充電回路７０と、バッテリ８０とを備える。
【００２８】
制御装置１０は、ウォッチドッグタイマ２０と、ダイオード３１と、分圧用抵抗３２とを備える。
【００２９】
ダイオード３１は、充電機器１００から供給されるパイロット信号の負成分を除去する。分圧用抵抗３２は、ダイオード３１とウォッチドッグタイマ２０との間に介挿され、充電機器１００から供給される電圧を充電制御装置４０等へ入力できる値に低下させる。
【００３０】
ウォッチドッグタイマ２０は、検出部２１と、起動制御部２２とを備え、充電機器１００から出力されるパイロット信号を監視する。なお、ウォッチドッグタイマ２０は、上記したように、消費電力がマイコン５０の消費電力より低くなるように設定される。
【００３１】
検出部２１は、充電機器１００から出力されるパイロット信号を検出する。検出部２１は、パイロット信号の検出結果を示す信号を起動制御部２２へ出力する。
【００３２】
起動制御部２２は、検出部２１によるパイロット信号の検出結果に基づいて、スリープ状態のマイコン５０に対する起動を制御する。例えば、起動制御部２２は、検出部２１によってパイロット信号が検出されない場合、スリープ状態のマイコン５０を起動させる制御を実行する、すなわち起動信号をマイコン５０へ出力する。
【００３３】
上記したように、充電機器１００とバッテリ８０とが接続された状態のときに充電機器１００からパイロット信号が入力されることから、起動制御部２２は、パイロット信号の検出結果に基づいて充電機器１００とバッテリ８０との接続状態を判定しているといえる。
【００３４】
そして、起動制御部２２は、パイロット信号が検出されない場合、充電機器１００とバッテリ８０との接続が解除されたと判定し、スリープ状態のマイコン５０を起動させる制御を実行する。これにより、マイコン５０を起動させ、例えばタイマ充電の終了処理などを行わせることが可能になる。
【００３５】
また、例えば、起動制御部２２は、検出部２１によってパイロット信号が検出される場合、充電機器１００とバッテリ８０とは電気的に接続された状態であり、マイコン５０にタイマ充電の終了処理などを行わせる必要はないため、スリープ状態のマイコン５０を起動させる制御を実行しない、言い換えると、スリープ状態のマイコン５０を起動させる制御の実行を禁止する。これにより、マイコン５０のスリープ状態を継続させることが可能になる。
【００３６】
充電制御装置４０は、マイコン（制御部）５０と、記憶部６０とを備える。マイコン５０は、タイマ部５１と、充電制御部５２とを備え、ＣＰＵ（Central  Processing  Unit）などを有する。
【００３７】
タイマ部５１は、例えばバッテリ８０の充電を予め設定された開始時間になったときに開始する、いわゆるタイマ充電に関する処理を実行する。例えば、タイマ部５１は、ユーザなどからタイマ充電の要求を受け付ける。かかるタイマ充電の要求には、例えば、充電の開始時間を示す情報などが含まれるものとする。そして、タイマ部５１は、受け付けた要求に応じて設定された開始時間になったときに、バッテリ８０の充電を開始させる信号を充電制御部５２へ出力する。
【００３８】
なお、タイマ部５１は、例えばタイマ充電の要求を受け付けたときにマイコン５０をスリープ状態へ移行させる処理を実行してもよい。また、タイマ部５１は、ウォッチドッグタイマ２０から起動信号が入力されたとき、例えばマイコン５０をスリープ状態から通常の起動状態へ移行させるとともに、タイマ充電の終了処理などを行うことができる。
【００３９】
充電制御部５２は、充電回路７０を制御し、バッテリ８０の充電を制御する。例えば、充電制御部５２は、バッテリ８０の残量などを示す情報を図示しないセンサから取得し、バッテリ８０の残量等に基づいて充電回路７０を制御し、バッテリ８０の充電を制御する。また、例えば、充電制御部５２には、充電機器１００からパイロット信号（例えばパルス幅変調された充電制御信号）が入力され、充電制御部５２は、入力されたパイロット信号（充電制御信号）に基づいて充電回路７０を制御し、バッテリ８０の充電を制御してもよい。
【００４０】
また、充電制御部５２は、上記したタイマ部５１から充電を開始させる信号が入力されるとき、バッテリ８０の充電を開始することができる。
【００４１】
記憶部６０は、不揮発性メモリやハードディスクドライブといった記憶デバイスで構成される記憶部である。かかる記憶部６０には、各種プログラムや設定データなどが記憶される。
【００４２】
充電回路７０は、充電機器１００とバッテリ８０との間に介挿される回路であり、図示しないリレーなどバッテリ８０の充電に必要な各種の電子部品を備える。バッテリ８０は、電気自動車などの車両のモータなどの駆動源や補機類に対して電力を供給する。
【００４３】
＜３．制御装置の制御処理＞
次に、制御装置１０における具体的な処理手順について図３を用いて説明する。図３は、制御装置１０が実行する処理手順を示すフローチャートである。
【００４４】
図３に示すように、制御装置１０は、マイコン５０がスリープ状態であるか否かを判定する（ステップＳ１０）。制御装置１０は、マイコン５０がスリープ状態ではないと判定された場合（ステップＳ１０，Ｎｏ）、以降の処理をスキップする。
【００４５】
一方、制御装置１０は、マイコン５０がスリープ状態であると判定された場合（ステップＳ１０，Ｙｅｓ）、充電制御装置４０からのパイロット信号が検出されたか否かを判定する（ステップＳ１１）。
【００４６】
制御装置１０は、充電制御装置４０からのパイロット信号が検出されたと判定された場合（ステップＳ１１，Ｙｅｓ）、以降の処理をスキップする。他方、制御装置１０は、充電制御装置４０からのパイロット信号が検出されていないと判定された場合（ステップＳ１１，Ｎｏ）、スリープ状態のマイコンに対する起動信号を出力する（ステップＳ１２）。
【００４７】
上述してきたように、実施形態に係る制御装置１０は、検出部２１と、起動制御部２２とを備える。検出部２１は、充電機器１００から出力されるパイロット信号を検出する。起動制御部２２は、検出部２１によるパイロット信号の検出結果に基づいて、スリープ状態のマイコン５０に対する起動を制御する。また、起動制御部２２は、検出部２１によってパイロット信号が検出されない場合、スリープ状態のマイコン５０を起動させる制御を実行する。これにより、マイコン５０をスリープ状態へ移行させて消費電力の低下を図りつつ、充電機器１００からのパイロット信号を検出することができる。
【００４８】
なお、上記した実施形態では、ウォッチドッグタイマ２０が検出部２１や起動制御部２２を備えるようにしたが、これに限定されるものではなく、例えばマイコン５０の消費電力より低くなるように設定されたサブマイコンが検出部２１や起動制御部２２を備えるようにしてもよい。
【００４９】
また、上記では、外部機器の一例として充電機器１００を挙げたが、これに限定されるものではなく、例えば、車両のドアの開閉状態を示すパイロット信号を出力するドア状態出力機器などであってもよい。かかるドア状態出力機器は、ドアに設けられ、ドアが閉鎖されるときに制御装置１０に接続される一方、ドアが開放されるときに制御装置１０との接続が解除されるものとする。これにより、制御装置１０は、車両のドアの開閉を監視する処理を行うことが可能になる。すなわち、制御装置１０は、ドア状態出力機器から出力されるパイロット信号が検出される場合、ドアが閉鎖されていると判定する一方、パイロット信号が検出されない場合、ドアが開放されたと判定し、スリープ状態のマイコン５０を起動させる制御を実行する。そして、マイコン５０は、ドアの開放に伴う処理（例えばドアの開放を報知する処理など）を実行することが可能になる。このように、外部機器は、パイロット信号を出力機器であれば、その他の種類の機器であってもよい。
【００５０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５１】
１０  制御装置
２０  ウォッチドッグタイマ
２１  検出部
２２  起動制御部
５０  マイコン
１００  充電機器
【図１】
2020181508.tif 000003
【図２】
2020181508.tif 000004
【図３】
2020181508.tif 000005